(57)【特許請求の範囲】
【請求項１】
無線通信ネットワークのネットワーク・アクセス・ノードと通信するように動作するユーザ機器のためのユーザ機器制御方法であって、
前記ユーザ機器で、ユーザ機器が第１の無線リソース制御接続状態から第２の無線リソース制御接続状態への遷移を要求できる前に、前記ユーザ機器に関連づけられる、少なくとも２つの動作パラメータに関して適合されるべきアクセス基準の表示を受信するステップであって、前記少なくとも２つの動作パラメータは、ユーザ機器の能力を含む報告された静的ユーザ機器パラメータに基づいて割り当てられたアクセス・グループ及び前記ネットワーク・アクセス・ノードと通信するように動作可能なユーザ機器と関連づけられる動的動作パラメータを含む、受信するステップと、
前記ユーザ機器が前記第１の無線リソース制御接続状態から前記第２の無線リソース制御接続状態への遷移を要求することを決定するステップと、
前記ユーザ機器が、前記少なくとも２つの動作パラメータに関して、前記アクセス基準に適合するかどうかを評価し、適合する場合、前記第１の無線リソース制御接続状態から前記第２の無線リソース制御接続状態への前記遷移を要求するステップと、
を含み、
前記動的動作パラメータは、
前記ユーザ機器により要求されるべきサービスの表示、
前記ユーザ機器により経験されている無線周波数条件の表示、及び、
前記ユーザ機器の利用可能な電力リソース、
のうちの１つまたは複数を含む、
方法。
【請求項２】
前記ユーザ機器が、前記少なくとも２つの動作パラメータに関して、前記アクセス基準に適合するかどうかを評価し、適合しない場合、前記第１の無線リソース制御接続状態から前記第２の無線リソース制御接続状態への前記遷移を要求しないステップを含む、請求項１に記載の方法。
【請求項３】
前記アクセス基準の前記表示は、前記少なくとも２つの動作パラメータの少なくとも１つの許容できる組合せを示すルックアップ・テーブルを含む、請求項１または請求項２に記載の方法。
【請求項４】
前記静的ユーザ機器パラメータは、ユーザ機器のハードウェア及びＩＭＥＩを含むユーザ機器の識別子のうちの少なくとも１つを更に含む、請求項１に記載の方法。
【請求項５】
前記第２の無線リソース制御接続状態は、前記第１の無線リソース制御接続状態より大きなリソースを要求する無線リソース制御接続状態を含む、請求項１乃至４のいずれか１項に記載の方法。
【請求項６】
前記第１の無線リソース制御接続状態は、Ｃｅｌｌ＿ＰＣＨを含む、請求項１乃至５のいずれか１項に記載の方法。
【請求項７】
前記受信するステップは、前記ネットワーク・アクセス・ノードからブロードキャスト・メッセージを受信するステップを含む、請求項１乃至６のいずれか１項に記載の方法。
【請求項８】
前記第２の無線リソース制御接続状態への前記遷移の後に、別の無線リソース制御接続状態への更なる遷移のために、前記ネットワーク・アクセス・ノードからのＲＲＣ信号を介して前記アクセス基準の表示を再度受信するステップを更に含む、請求項１乃至７のいずれか１項に記載の方法。
【請求項９】
無線通信ネットワークのネットワーク・アクセス・ノードと通信するように動作可能なユーザ機器であって、
ユーザ機器が第１の無線リソース制御接続状態から第２の無線リソース制御接続状態への遷移を要求できる前に、適合されるべき前記ユーザ機器に関連づけられる、少なくとも２つの動作パラメータに関して適合されるべきアクセス基準の表示を受信するように動作可能な受信論理であって、前記少なくとも２つの動作パラメータは、ユーザ機器の能力を含む報告された静的ユーザ機器パラメータに基づいて割り当てられたアクセス・グループ及び前記ネットワーク・アクセス・ノードと通信するように動作可能なユーザ機器と関連づけられる動的動作パラメータを含む、受信論理と、
前記ユーザ機器が前記第１の無線リソース制御接続状態から前記第２の無線リソース制御接続状態への遷移を要求することを決定するように動作可能な決定論理と、
前記ユーザ機器が、前記少なくとも２つの動作パラメータに関して、前記アクセス基準に適合するかどうかを評価し、適合する場合、前記第１の無線リソース制御接続状態から前記第２の無線リソース制御接続状態への前記遷移を要求するように動作可能な評価論理と、
を含み、
前記動的動作パラメータは、
前記ユーザ機器により要求されるべきサービスの表示、
前記ユーザ機器により経験されている無線周波数条件の表示、及び、
前記ユーザ機器の利用可能な電力リソース、
のうちの１つまたは複数を含む、
ユーザ機器。
【請求項１０】
無線通信ネットワークのネットワーク・アクセス・ノードと通信するように動作可能なユーザ機器のためのユーザ機器制御方法であって、
ネットワーク制御ノードで、ユーザ機器が第１の無線リソース制御接続状態から第２の無線リソース制御接続状態への遷移を要求できる前に、前記ユーザ機器に関連づけられる、少なくとも２つの動作パラメータに関して適合されるべきアクセス基準を決定するステップであって、前記少なくとも２つの動作パラメータは、ユーザ機器の能力を含む報告された静的ユーザ機器パラメータに基づいて割り当てられたアクセス・グループ及び前記ネットワーク・アクセス・ノードと通信するように動作可能なユーザ機器と関連づけられる動的動作パラメータを含む、決定するステップと、
前記ユーザ機器に前記アクセス基準の表示を通信するステップと、
を含み、
前記動的動作パラメータは、
前記ユーザ機器により要求されるべきサービスの表示、
前記ユーザ機器により経験されている無線周波数条件の表示、及び、
前記ユーザ機器の利用可能な電力リソース、
のうちの１つまたは複数を含む、
ユーザ機器制御方法。
【請求項１１】
無線通信ネットワークのネットワーク・アクセス・ノードと通信するように動作可能なユーザ機器を制御するように動作可能なネットワーク制御ノードであって、
ユーザ機器が第１の無線リソース制御接続状態から第２の無線リソース制御接続状態への遷移を要求できる前に、前記ユーザ機器に関連づけられる、少なくとも２つの動作パラメータに関して適合されるべきアクセス基準を決定するように動作可能な決定論理であって、前記少なくとも２つの動作パラメータは、ユーザ機器の能力を含む報告された静的ユーザ機器パラメータに基づいて割り当てられたアクセス・グループ及び前記ネットワーク・アクセス・ノードと通信するように動作可能なユーザ機器と関連づけられる動的動作パラメータを含む、決定論理と、
前記ユーザ機器に前記アクセス基準の表示を通信するように動作可能な通信論理と
を含み、
前記動的動作パラメータは、
前記ユーザ機器により要求されるべきサービスの表示、
前記ユーザ機器により経験されている無線周波数条件の表示、及び、
前記ユーザ機器の利用可能な電力リソース、
のうちの１つまたは複数を含む、
ネットワーク制御ノード。
【請求項１２】
コンピュータで実行される場合、請求項１乃至８のいずれか１項または請求項１０に記載の方法を行うように動作可能なコンピュータ・プログラム。
【発明の詳細な説明】
【技術分野】
【０００１】
態様および実施形態は、無線通信ネットワークのネットワーク・アクセス・ノードと通信するように動作するユーザ機器のためのユーザ機器制御方法、ならびにその方法を行うように動作可能なコンピュータ・プログラム製品およびユーザ機器に関する。
【背景技術】
【０００２】
無線電気通信システムが知られている。このような既知のシステムでは、地理的地域でユーザ機器（例えば携帯電話、スマートフォンまたはタブレット）として知られるネットワーク接続可能デバイスに無線カバレッジが提供される。典型的には、基地局などのネットワーク・アクセス・ノードは地理的地域に位置し、その地域内のネットワーク接続可能デバイスに必要な無線カバレッジを提供するように動作可能である。ネットワーク・アクセス・ノードによりサービス提供される地域のネットワーク接続可能デバイスは、典型的にはネットワーク・アクセス・ノードから情報およびデータを受信するように、かつネットワーク・アクセス・ノードに情報およびデータを送信するように動作可能である。
【０００３】
既知の無線通信システムにおいて、ネットワーク接続可能デバイスは、ネットワーク・アクセス・ノードにより無線カバレッジが提供される地理的地域間で移動することができる。ネットワーク・アクセス・ノードによりサポートされる無線カバレッジの地域は、「セル」と呼ばれ得る。
【０００４】
ネットワーク・アクセス・ノードとネットワーク接続可能デバイスとの間の情報およびデータの伝送を容易にするために、通常、いくらかの異なる無線リソース制御（ＲＲＣ）接続状態のうちの１つで動作するようにネットワーク接続可能デバイスを設定する。（ｃｅｌｌ＿ＤＣＨ、ｃｅｌｌ＿ＦＡＣＨ、ｃｅｌｌ＿ＰＣＨまたはＵＲＡ＿ＰＣＨ状態などの）異なる接続状態または通信状態は、異なる種類の、ネットワーク・アクセス・ノードとネットワーク接続可能デバイスとの間の伝送に対応する。これらの異なる接続状態または通信状態は、ネットワーク接続可能デバイスに関連づけられた、予想されるトラフィック活動と一致している。
【発明の概要】
【発明が解決しようとする課題】
【０００５】
既存の技術により、異なる接続状態にあるネットワーク・アクセス・ノードとネットワーク接続可能デバイスとの間の伝送が容易になるが、困難さが生じる場合がある。このため、デバイスが異なる接続状態にあるネットワークにアクセスする場合に有用であり得る、無線通信ネットワーク内のデバイスの動作を制御する技法を提供することが望まれる。
【課題を解決するための手段】
【０００６】
第１の態様は、無線通信ネットワーク中のネットワーク・アクセス・ノードと通信するように動作するユーザ機器のためのユーザ機器制御方法を提供する。方法は、ユーザ機器が第１の無線リソース制御状態から第２の無線リソース制御状態への遷移を要求できる前に、ユーザ機器に関連づけられる、少なくとも２つの動作パラメータに関して適合されるべきアクセス基準の表示をユーザ機器で受信することであって、動作パラメータの少なくとも１つは、ユーザ機器のアクセス・グループまたはユーザ機器のアクセス・クラスを含む、受信することと、ユーザ機器が第１の無線リソース制御状態から第２の無線リソース制御状態への遷移を要求することを決定することと、ユーザ機器が、前記少なくとも２つの動作パラメータに関して、アクセス基準に適合するかどうかを評価し、適合する場合、第１の無線リソース制御状態から第２の無線リソース制御状態への遷移を要求することとを含む。
【０００７】
第１の態様では、既知の無線ネットワークに、１６個のアクセス・クラスがあることがわかる。これらのアクセス・クラスは、どの特定の時でも無線アクセス・ネットワークにアクセスできるユーザ機器、すなわちネットワーク接続可能デバイスの数を制限するためにネットワークによって使用され得る。典型的には、各ユーザ機器、すなわちネットワーク接続可能デバイスは、基本アクセス・クラスのうちの１つと関連づけられるように、製造される。すなわち、各ユーザ機器は０と９の間のアクセス・クラス番号に関連づけられるように製造される。ユーザ機器がサービス・レベルを選択した結果としてのみ、ユーザ機器は１０から１５までの特別アクセス・クラスのメンバーであり得る。すなわち、アクセス・クラス１０は、常に緊急通話に使用される。ユーザ機器が高いサービス優先度を用いて動作したい場合、１１と１５の間のアクセス・クラスを自動的に選択するように動作可能であり得る。すなわち、ユーザ機器が１０から１５までの１つまたは複数のアクセス・クラス番号に関連づけられるサービス・レベルに従った通信をサポートしようとする場合に、製造の結果として割り当てられた、（０から９までの）基本割り振りは無効にされ得る。
【０００８】
無線通信ネットワークは、ネットワークの輻輳を管理するためにアクセス・クラス規制（ＡＣＢ）を使用するように動作可能であり得る。アクセス・クラス規制は、特定のアクセス・クラスに関連づけられたユーザ機器すなわちネットワーク接続可能デバイスだけがネットワークとの通信を確立するように動作可能であり得るように、利用され得る。例えば、ネットワークが輻輳し、輻輳の期間中、ユーザ機器の約２０％のみを許可したい場合、ネットワークは０と１を除く全てのアクセス・クラスを規制するように動作可能であり得る。この結果、アクセス・クラスはユーザ機器の間で一様に分配されると仮定すると、約２０％、すなわち１０台中の２台のユーザ機器がネットワークとの通信の許可を要求するように動作することができる。
【０００９】
１０から１５までのアクセス・クラスは、０から９までのアクセス・クラスより高いサービス優先度に関連づけられること、およびネットワークはその情報を、ネットワークにアクセスする高い優先サービスを有するユーザ機器のみを許可するために利用するように動作可能であり得ることが理解されよう。
【００１０】
典型的には、アクセス・クラス規制情報は、システム情報ブロードキャスト・メッセージ（ＳＩＢ）でブロードキャストされ得、アイドル・モードで動作しているユーザ機器は、ネットワークに接続するどの試みの前にも、このようなブロードキャスト・メッセージを読むように動作可能である。従って、ユーザ機器の基本アクセス・クラスおよびユーザ機器が要求する可能性のあるサービスの分類を認識しているユーザ機器は、ネットワークに接続することを試みる前にシステム情報ブロードキャスト・メッセージ内に適切な情報があるかを確認できる。
【００１１】
アクセス・クラス規制は、アイドル・モードのユーザ機器に対してのみ使用される。ユーザ機器が接続済みのモード（例えば、ＵＭＴＳにおけるｃｅｌｌ＿ＰＣＨ）であれば、ネットワークは、この接続済みのユーザ機器を管理するためにアクセス呼規制を使用するように動作可能ではない。この結果、ネットワークは、ネットワークが輻輳の期間にあり、サービスを起動することにより輻輳を悪化させる場合でも、接続済みのユーザ機器がサービスを起動することを防ぐように動作可能ではない。
【００１２】
第１の態様では、接続済みのモードで動作しているネットワーク接続可能デバイスに対するアクセス制御機構を提供可能であることがわかる。第１の態様では、ユーザ機器を、アクセス・クラスまたはアクセス・グループと同様にアクティブ・アクセス・パラメータとも関連づけることができること、およびアクティブ・アクセス・パラメータは、さらに、接続済みのモードまたはアイドル・モードの、どのユーザ機器が、何台サービスを起動するように動作可能であり得るかを制御するために、ネットワークがより細かく制御できるように、ユーザ機器およびネットワークにより使用し得ることがわかる。第１の態様では、ユーザ機器にアクセス・グループ（これは０から１５までの関連づけられた数字を有してもよい）を割り当て可能であることがわかる。接続済みのユーザ機器へのアクセス・グループの、この割り当ては、ユーザ機器がネットワークに最初に接続する時、ネットワークにより行われてもよい。アクセス・クラスはネットワークにより割り当てられず、ネットワークはユーザ機器へのアクセス・グループ割り当てを制御することから、アクセス・グループは既存のアクセス・クラスとは異なる。すなわち、ネットワークは、特定のアクセス・グループに特定のユーザ機器を割り振るように動作可能であり得る。
【００１３】
第１の態様では、ネットワーク接続可能デバイスの動作パラメータについての知識をネットワークが非常に限定してもつように、ネットワークにより実装される、単純なアクセス・クラスもしくはアクセス・グループ制限、または単純なアクセス・クラスもしくはアクセス・グループ規制があることがわかる。第１の態様では、接続確立中、またはユーザ機器がアイドル・モードで動作している間、ネットワークはユーザ機器が次に使用する可能性があるサービス・タイプを認識していない可能性があることがわかる。第１の態様では、ネットワークへの接続を要求するアイドル・モードのユーザ機器、およびネットワークに既に接続済みのユーザ機器の両方に関して、制限メカニズムを改善することが有用であり得ることがわかる。
【００１４】
第１の態様では、ネットワーク内のユーザ機器の異なる動作パラメータを考慮するユーザ機器に関して制限を実装することが可能であり得ることがわかる。この結果、ネットワーク内の、接続済みのモードまたはアイドル・モードのユーザ機器に対して、アクセス遅延またはアクセス制限の区別を設けることが可能であり得る。このような構成は、１つ以上の基準を考慮するが、より焦点を絞りより柔軟なネットワーク内での制限を実装するために使用され得、これによりネットワーク動作の全体が改善する。
【００１５】
方法は、ユーザ機器が第１の無線リソース制御状態から第２の無線リソース制御状態への遷移を要求できる前に、ユーザ機器に関連づけられる、少なくとも２つの動作パラメータに関して適合されるべきアクセス基準の表示をユーザ機器で受信することを含み得る。アクセス基準は、適合されるべき１つまたは複数の絶対値を含み得、ある範囲の値を含み得、または閾値に適合することを要求する。
【００１６】
動作パラメータの少なくとも１つは、ユーザ機器のアクセス・グループまたはユーザ機器のアクセス・クラスを含み得る。従って、ネットワークへのアクセスを制限するためにユーザ機器により使用される第１の態様の方法は、よく理解されているアクセス・クラス規制方法およびアクセス・グループ規制方法と共に使用され得る。
【００１７】
方法は、ユーザ機器が第１の無線リソース制御状態から第２の無線リソース制御状態への遷移を要求することをユーザ機器で決定することを含み得る。その決定は、ユーザ機器がネットワークに送信するものを有すること、ユーザがサービスまたは類似のものを要求することを決定することを含み得る。
【００１８】
方法は、ユーザ機器が、前記少なくとも２つの動作パラメータに関して、接続基準に適合するかどうかを評価し、適合する場合、第１の無線リソース制御状態から第２の無線リソース制御状態への遷移を要求することを含み得る。従って、接続基準が適合される場合のみ、ユーザ機器は、例えば、より高位の接続済みの状態を要求するＲＲＣ要求をネットワークに送信することにより、ネットワークからリソースを求めるように動作することができる。
【００１９】
ネットワーク・アクセス・ノードによりサポートされた、ネットワークのセルが、輻輳状態にある場合、第１の態様が有用であり得る。ネットワーク内の１つまたは複数のユーザ機器の動作を制限することにより、輻輳を緩和し不要な信号を軽減できる。
【００２０】
一実施形態では、方法は、ユーザ機器が、前記少なくとも２つの動作パラメータに関して、アクセス基準に適合するかどうかを評価し、適合しない場合、第１の無線リソース制御状態から第２の無線リソース制御状態への遷移を要求しないことを含む。従って、基準が適合しない場合、ユーザ機器はネットワークにリソースを要求しないように動作できる。
【００２１】
一実施形態では、アクセス基準の表示は、少なくとも２つの動作パラメータのうち、少なくとも１つの許容できる組合せを示すルックアップ・テーブルを含む。従って、情報は、簡潔で効率的な方式で提供され得、かつ／または更新され得る。このような構成は、結果的に１次元ではなく多次元であり得るアクセス・ビットマップになることが理解されよう。すなわち、ネットワークとの通信を起動すること、またはネットワークへの接続を、例えば、アイドルから接続済みへ、またはｃｅｌｌ＿ＦＡＣＨからｃｅｌｌ＿ＤＣＨへ状態を進めることが許容される前に、ユーザ機器は、さらなる基準に適合することを必要とする可能性がさらにある、特定のアクセス・クラスまたは特定のアクセス・グループのメンバーであり得る。
【００２２】
一実施形態では、動作パラメータの少なくとも１つは、ネットワーク・アクセス・ノードと通信するように動作可能なユーザ機器と関連づけられる静的動作パラメータを含む。一実施形態では、静的動作パラメータは、ユーザ機器の動作能力、ユーザ機器のハードウェア、ユーザ機器のアクセス・グループ、ユーザ機器の識別のうちの１つまたは複数を含む。
【００２３】
一実施形態では、動作パラメータの少なくとも１つは、ネットワーク・アクセス・ノードと通信するように動作可能なユーザ機器と関連づけられる動的動作パラメータを含む。一実施形態では、動的動作パラメータは、ユーザ機器のアクセス・クラス、ユーザ機器により要求されるべきサービスの表示、前記ユーザ機器により経験されている無線条件の表示、ユーザ機器で利用可能な電力リソースのうちの１つまたは複数を含む。ある構成によれば、ネットワーク・アクセス制限を行う場合、第２の次元または第２の要素がネットワークにより実装され得る。そのさらなる次元は、例えば、１つまたは複数のユーザ機器に特有の動的特性と共に、アクセス・グループが考慮され得るようなものでよい。例えば、ネットワークへのアクセスを制限する点で、ユーザ機器は、サービス要件または無線条件の要件と共に、アクセス・グループのメンバー要件に適合する必要があり得る。このような構成によれば、ユーザ機器は、そのアクセス・グループが規制されず、さらに動的特性の要件が適合される場合のみ、ネットワークにアクセスするように動作可能でよい。この結果、より柔軟でより焦点を絞ったネットワーク制限の要件が実装され得る。
【００２４】
一実施形態では、第２の無線リソース接続状態は、第１の無線リソース接続状態より大きなリソースを要求する無線リソース接続状態を含む。一実施形態では、第１の無線リソース接続状態は、アイドル・モードまたはＣｅｌｌ＿ＰＣＨを含む。一実施形態では、第２の無線リソース接続状態は、Ｃｅｌｌ＿ＦＡＣＨまたはＣｅｌｌ＿ＤＣＨを含む。
【００２５】
一実施形態では、受信は、ネットワーク・アクセス・ノードからブロードキャスト・メッセージを受信することを含む。システム情報ブロードキャストとして実装される場合、接続済み状態で動作するユーザ機器はネットワークにアクセスする前にこのようなシステム情報ブロードキャスト・メッセージを読むように動作可能でよい。このようにシステム情報ブロードキャスト・メッセージを読むことにより、ネットワーク・アクセス・ノードにサポートされるカバレッジ地域内のユーザ機器が、アクセス・ノードにより実装されたアクセス制限を認識するようになり得ることを保証する。
【００２６】
一実施形態では、受信は、ネットワーク・アクセス・ノードからＲＲＣ信号を受信することを含む。従って、ネットワークは、ネットワーク内の１つまたは複数のユーザ機器へのアクセス基準の表示を含む、特定の指示を通信してもよい。
【００２７】
第２の態様は、第１の態様の方法を行うために、コンピュータ上で実行される場合に、動作可能なコンピュータ・プログラム製品を提供する。
【００２８】
第３の態様は、無線通信ネットワークのネットワーク・アクセス・ノードと通信するように動作可能なユーザ機器を提供する。ユーザ機器は、ユーザ機器が第１の無線リソース制御状態から第２の無線リソース制御状態への遷移を要求できる前に、適合されるべきユーザ機器に関連づけられる、少なくとも２つの動作パラメータに関して適合されるべきアクセス基準の表示を受信するように動作可能な受信論理であって、少なくとも１つの動作パラメータは、ユーザ機器のアクセス・グループまたはユーザ機器のアクセス・クラスを含む、受信論理と、ユーザ機器が、第１の無線リソース制御状態から第２の無線リソース制御状態への遷移を要求することを決定するように動作可能な決定論理と、ユーザ機器が少なくとも２つの動作パラメータに関してアクセス基準に適合するかどうかを評価し、適合する場合、第１の無線リソース制御状態から第２の無線リソース制御状態への遷移を要求するように動作可能な評価論理とを含む。
【００２９】
一実施形態では、評価論理は、ユーザ機器が少なくとも２つの動作パラメータに関してアクセス基準に適合するかどうかを評価し、適合しない場合、第１の無線リソース制御状態から第２の無線リソース制御状態への遷移を要求しないように動作可能である。
【００３０】
一実施形態では、アクセス基準の表示は、少なくとも２つの動作パラメータのうちの、少なくとも１つの許容し得る組合せを示すルックアップ・テーブルを含む。
【００３１】
一実施形態では、動作パラメータの少なくとも１つは、ネットワーク・アクセス・ノードと通信するように動作可能なユーザ機器と関連づけられる静的動作パラメータを含む。
【００３２】
一実施形態では、静的動作パラメータは、ユーザ機器の動作能力、ユーザ機器のハードウェア、ユーザ機器のアクセス・グループ、ユーザ機器の識別のうちの１つまたは複数を含む。
【００３３】
一実施形態では、動作パラメータの少なくとも１つは、ネットワーク・アクセス・ノードと通信するように動作可能なユーザ機器に関連づけられる動的動作パラメータを含む。
【００３４】
一実施形態では、動的動作パラメータは、ユーザ機器により要求されるべきサービスの表示、前記ユーザ機器により経験されている無線条件の表示、ユーザ機器の利用可能な電力リソースのうちの１つまたは複数を含む。
【００３５】
一実施形態では、第２の無線リソース接続状態は、第１の無線リソース接続状態より大きなリソースを要求する無線リソース接続状態を含む。
【００３６】
一実施形態では、第１の無線リソース接続状態はアイドル・モードまたはＣｅｌｌ＿ＰＣＨを含む。
【００３７】
一実施形態では、受信論理は、アクセス・ノードからブロードキャスト・メッセージを受信するように動作可能である。
【００３８】
一実施形態では、受信論理は、ネットワーク・アクセス・ノードからＲＲＣ信号を受信するように動作可能である。
【００３９】
第４の態様は、無線通信ネットワークのネットワーク・アクセス・ノードと通信するように動作するユーザ機器のためのユーザ機器制御方法を提供する。方法は、ユーザ機器が第１の無線リソース制御状態から第２の無線リソース制御状態への遷移を要求できる前に、ユーザ機器に関連づけられる、少なくとも２つの動作パラメータに関して適合されるべきアクセス基準を、ネットワーク制御ノードで決定することであって、少なくとも１つの動作パラメータは、ユーザ機器のアクセス・グループまたはユーザ機器のアクセス・クラスを含む、決定することと、ユーザ機器にアクセス基準の表示を通信することとを含む。
【００４０】
一実施形態では、ネットワーク制御ノードは、ネットワーク・アクセス・ノードを含む。
【００４１】
一実施形態では、方法は、報告されたユーザ機器の能力に基づいて、ユーザ機器にネットワーク・アクセス・グループを割り振ることを含む。
【００４２】
一実施形態では、方法は、ネットワーク内のそのユーザ機器の動作に基づいて、以前にユーザ機器に割り振られたネットワーク・アクセス・グループを再割り振りすることを含む。
【００４３】
一実施形態では、方法は、ネットワーク内の輻輳を識別し、それに応じてアクセス基準の表示を更新することを含む。
【００４４】
第５の態様は、第４の態様の方法を行うように、コンピュータ上で実行される場合、動作可能なコンピュータ・プログラム製品を提供する。
【００４５】
第６の態様は、無線通信ネットワークのネットワーク・アクセス・ノードと通信するように動作可能なユーザ機器を制御するように動作可能なネットワーク制御ノードを提供する。ネットワーク制御ノードは、ユーザ機器が第１の無線リソース制御状態から第２の無線リソース制御状態への遷移を要求できる前に、ユーザ機器に関連づけられる、少なくとも２つの動作パラメータに関して適合されるべきアクセス基準を決定するように動作可能な決定論理であって、少なくとも１つの動作パラメータは、ユーザ機器のアクセス・グループまたはユーザ機器のアクセス・クラスを含む、決定論理と、ユーザ機器にアクセス基準の表示を通信するように動作可能な通信論理とを含む。
【００４６】
一実施形態では、ネットワーク制御ノードは、報告されたユーザ機器の能力に基づいて、ユーザ機器にネットワーク・アクセス・グループを割り振るように動作可能なアクセス・グループ割り振り論理を含む。
【００４７】
一実施形態では、アクセス・グループ割り振り論理は、ネットワーク内のそのユーザ機器の動作に基づいて、ユーザ機器にネットワーク・アクセス・グループを再割り振りするように動作可能である。
【００４８】
一実施形態では、ネットワーク制御ノードは、ネットワーク内の輻輳を識別し、それに応じて接続基準の表示を更新するように動作可能な輻輳論理を含む。
【００４９】
さらに特定の、好ましい態様が、添付の独立請求項および従属請求項で記述される。従属請求項の特徴的機能（ｆｅａｔｕｒｅ）は、必要に応じて、独立請求項の特徴的機能と組み合わせてもよく、請求項で明示的に記述されるもの以外の組合せで、組み合わせてもよい。
【００５０】
装置の特徴的機能は、機能を提供するように動作可能であると記述されるが、機能を提供する装置の特徴的機能、または機能を提供するように適応させた、または構成された特徴的機能を含むことが理解されよう。
【００５１】
以下、本発明の実施形態が、添付図面を参照して、さらに説明される。
【図面の簡単な説明】
【００５２】
【図１】１つの構成によってアクセス制限を示すビットマップ・ルックアップ・テーブルを概略的に図示する。
【発明を実施するための形態】
【００５３】
特定の構成をより詳細に論じる前に、概要を示す。
【００５４】
これまで述べたように、ユーザ機器は、いくつかの異なる通信状態のうちの１つで動作できる。それらの通信状態の各々は、特定のユーザ機器のトラフィック条件または動作要求に対して最適化される。異なる通信状態または接続状態の各々で動作する場合、異なるトランスポート・チャネルがユーザ機器に利用可能であり得る。
【００５５】
ネットワーク内の輻輳に対処するために、ネットワーク・アクセスポイントとユーザ機器との間で通信を制限できることは有用であり得ると認識されてきた。このような技法は、アイドル・モード、または様々な異なるＲＲＣ通信状態で動作中のユーザ機器に適用され得る。
【００５６】
ネットワークが、様々な動的パラメータ、すなわちユーザ機器により求められる可能性がある特定のサービスと関連したパラメータに基づいて、ユーザ機器を制限できることはネットワークに有益であり得ると認識される。
【００５７】
ネットワークへのアクセスを制限する、少なくとも２つの要素に基づく手段を導入することが可能であり得ることが認識される。特に、アクセス・クラス規制またはアクセス・グループ規制が、第２の要素、すなわちユーザ機器に関連する特性が考慮され得るように実装され得るような方式で、グループ規制またはクラス規制が実装され得ることが認識される。
【００５８】
このような構成は、結果的に１次元ではなく多次元であり得るアクセス・ビットマップになることが理解されよう。すなわち、ネットワークとの通信を起動すること、またはネットワークへの接続を、例えば、アイドルから接続済みへ、またはｃｅｌｌ＿ＦＡＣＨからｃｅｌｌ＿ＤＣＨへ状態を進めることが許容される前に、ユーザ機器は、さらなる基準に適合することを必要とする可能性がさらにある、特定のアクセス・クラスまたは特定のアクセス・グループのメンバーであり得る。
【００５９】
ある構成によれば、ネットワーク・アクセス制限を行う場合、第２の次元または第２の要素がネットワークにより実装され得る。そのさらなる次元は、例えば、１つまたは複数のユーザ機器に特有の動的特性と共に、アクセス・グループが考慮され得るものでよい。例えば、ネットワークへのアクセスを制限する点で、ユーザ機器は、サービス要件または無線条件の要件と共に、アクセス・グループのメンバー要件に適合する必要があり得る。このような構成によれば、ユーザ機器は、そのアクセス・グループが規制されず、さらに動的特性の要件が適合される場合のみ、ネットワークにアクセスするように動作可能でよい。この結果、より柔軟でより焦点を絞ったネットワーク制限の要件が実装され得る。
【００６０】
アクセス制限は、適切なブロードキャスト・メッセージ内で、または１つまたは複数のユーザ機器に対して直接ＲＲＣメッセージを送信することで、ブロードキャストされ得ることが理解されよう。
【００６１】
システム情報ブロードキャストとして実装される場合、接続済み状態で動作するユーザ機器はネットワークにアクセスする前にこのようなシステム情報ブロードキャスト・メッセージを読むように動作可能であってよい。このようにシステム情報ブロードキャスト・メッセージを読むことにより、ネットワーク・アクセス・ノードにサポートされるカバレッジ地域内のユーザ機器が、アクセス・ノードにより実装されたアクセス制限を認識するようになり得ることを保証する。
【００６２】
ある構成によれば、アクセス制限に関して使用される要素は、ユーザ機器のサービス要求についての表示であってよい。このような構成によれば、ネットワークは、ユーザ機器が使用できずネットワークへのアクセスを獲得できないサービスの表示をブロードキャストするように動作可能であってよい。もちろん、ある構成では、ネットワークは、どのサービスをユーザ機器が使用できネットワークへのアクセスを獲得できるかをブロードキャストするように動作可能であってよい。もちろん、ネットワークが、あるサービスを使用するユーザ機器によるアクセスを規制する情報それとも許容する情報のどちらをブロードキャストするように動作するかについては、実装の問題であることが理解されよう。
【００６３】
ある構成によれば、ユーザ機器が通信を確立できるか、またはＲＲＣ接続済み状態を進めることができるかを評価する場合、アクセス制限は、アクセス・クラスおよびアクセス・グループの両方が考慮され得るように実装されてよい。このような構成によれば、ユーザ機器は、接続済みのモードで動作中でありネットワークにアクセスする前に、そのアクセス・グループに加えてそのアクセス・クラスを確認するように動作可能であり得る。従って、ネットワークは、アクセス・グループに基づいてユーザ機器のサービスの許可を制御し、かつ例えば、ネットワークにアクセスするように動作できる特定のアクセス・グループ内で動作しているユーザ機器の一部を、アクセス・クラスを用いて制御するように動作可能であってよい。典型的には、アクセス・クラスは、一様分布に従ってユーザ機器に割り振られるため、このような部分制御（ｐｒｏｐｏｒｔｉｏｎ  ｃｏｎｔｒｏｌ）が実装され得る。
【００６４】
ある構成では、ネットワークへのアクセスを制限するために、ユーザ機器により決定されたＲＦ条件が、アクセス・クラスまたはアクセス・グループのメンバー資格と共に使用され得る。ある実施形態では、アクセス閾値の信号対雑音干渉電力比（ＳＮＩＲ）を実装することが可能であり得る。ユーザ機器は、そのＳＮＩＲに基づいて、例えば、ダウンリンクのパイロット信号の受信品質に基づいて、ＲＦグループに割り当てられ得る。そのＲＦ測定は、ユーザ機器がネットワークにアクセスしたい地点で評価され得る。ネットワークは、特定のＲＦグループで動作している、例えば、悪いＲＦ条件にあると決定されたユーザ機器を規制するように動作可能であり得る。このような構成は、悪い無線周波数条件にあるユーザ機器はネットワークにアクセスしないように規制され得、さらにネットワークは、利用可能な電力の不足により過負荷状態におかれ得る場合、悪いＲＦ条件にあるユーザ機器と通信するために、過度の電力リソースを使用することが予防される。
【００６５】
ある実施形態では、ネットワークは、１つまたは複数のユーザ機器に適用されたアクセス・グループを再割り当てするように動作可能であり得る。アクセス・グループは、ユーザ機器の能力などの、報告された静的ユーザ機器パラメータに基づいて割り当てられてもよい。ネットワークは、このような再割り当てが必要であると決定し、ＲＲＣ信号によりこのような再割り当てを行ってもよい。ネットワークがアクセス・グループへのユーザ機器の初期割り当てが正しくなかったと判断する場合に、再割り当てが起動されてもよい。このような正しくない割り当てには、例えば、特定の能力をサポートできる可能力（ａｂｉｌｉｔｙ）を報告するが、その後、あらかじめ設定された、設定可能な期間、その能力に関連づけられるサービスを使用しないユーザ機器が含まれ得る。
【００６６】
一構成によれば、アクセス・グループへのユーザ機器の割り当ては、ユーザ機器の種類に基づき得、例えば、特定の能力で動作するユーザ機器の予想されるプロファイルに一致しない、ある製造または型の（ａ  ｍａｋｅ  ｏｒ  ｍｏｄｅｌ  ｏｆ）ユーザ機器（それはＩＭＥＩ（国際移動体装置識別番号）に基づき得る）がある場合、ネットワークはより適切なアクセス・グループにそのようなユーザ機器を割り当てまたは再割り当てするように動作可能であってよく、このような再割り当ては、動作標準に適合しないユーザ機器が、同様の能力を報告する他のユーザ機器に対して別々にネットワークにより扱われ得るように、行われる。多次元のアクセス制限マップを生成するために、様々な要素が使用され得ることが理解されよう。
【００６７】
例１
一例によれば、アクセス・ノードによりサポートされるセルが輻輳する。その輻輳は、ｃｅｌｌ＿ＤＣＨ状態で動作する多くのユーザ機器を含み得る。これらのユーザ機器が、ネットワークとの接続を確立する場合、ユーザ機器の能力がネットワークに報告される。この結果、ネットワークは、これらのユーザ機器の各々を、その潜在的スループットに基づいて、アクセス・グループに割り当てるように動作可能である。所与の特定の例では、ＤＣ−ＨＳＤＰＡ能力を有するユーザ機器はアクセス・グループ１に割り当てられ、ＳＣ−ＨＳＤＰＡ能力のユーザ機器はアクセス・グループ２に割り当てられ、非ＨＳＤＰＡ能力のユーザ機器はアクセス・グループ３に割り当てられる。
【００６８】
所与の例では、アクセス・クラス１１から１５を使用するユーザ機器は、高い優先サービスを有し得るため、ネットワークにアクセスするように動作可能である。０と９の間のアクセス・クラスを有するものは、低い優先サービスで動作していると仮定される。アクセス・クラス１０は緊急通話に使用される。
【００６９】
所与の例では、ネットワークは、高いスループット能力（ＡＧ１）を有するユーザ機器のみを許可することを決定するように動作可能であり、ネットワーク過負荷状況により、ネットワークは、これらのユーザ機器の１０％のみを許可することを決定してもよい。その１０％を達成するために、ネットワークは、ＡＧ１のアクセスに割り当てられたユーザ機器のみを許可し、かつ１つのアクセス・クラス、例えば、アクセス・クラス１のみを許可するように動作可能である。アクセス・グループおよびアクセス・クラスの組合せに関連する制限の要件またはアクセスの要件のビットマップが、図１に示される。
【００７０】
そのビットマップは、ネットワークによりブロードキャストされ得る。所与の例では、０は規制を示し、１はそれらの基準に適合するユーザ機器がネットワークにアクセスしてもよいことを示す。示されるシナリオでは、ＡＧ＝１およびＡＣが１として印がつけられている。さらに、ネットワークは、ＤＣ−ＨＳＤＰＡ能力およびＨＣ−ＨＳＤＰＡ能力を有し、高い優先サービス（ＡＣが１１から１５）を有するユーザ機器がネットワークにアクセスすることを許可するように動作可能であり、従って、ビットマップは、ＡＧ＝１およびＡＧ＝２に対する、ＡＣ＝１からＡＣ＝１５に対して１として印がつけられている。ＡＣ＝１０は緊急通話に関連しているため、ネットワークは、示されるビットマップ内で全てのＡＧのＡＣ＝１０を１として設定するようにさらに動作可能である。
【００７１】
アクセス制限に関する、このようなＡＣおよびＡＧの組合せは、ある範囲のＡＣが使用されるビットマップで実装され得ることが理解されよう。例えば、０から９までのＡＣが１つのリストを構成し、１０から１５までのＡＣが第２のリストとして実装され得る。このような構成により、サービス優先度に関して区別を設けることを可能にする。例えば、ＡＧ１および０から９のＡＣは、制限されてよく、ＡＧ１および１１から１５のＡＣは、許容されてよい。
【００７２】
態様および実施形態により、ネットワークは、静的特性および動的特性の組合せに基づいて、アイドル・モードおよび接続済みのモードの両方で、ユーザ機器を許可することができる。
【００７３】
当業者は、様々な上記方法のステップが、プログラムされたコンピュータにより行われ得ることを容易に認識するであろう。本明細書で、ある実施形態は、さらにプログラム記憶デバイス、例えば、デジタル・データ記憶媒体を対象に含むことを意図する。この記憶デバイスは、マシン可読またはコンピュータ可読であり、命令のマシン実行可能またはプログラム実行可能プログラムを符号化し、前記命令は前記の上に記述した方法の一部または全てのステップを行う。プログラム記憶装置は、例えば、デジタル・メモリ、磁気ディスクおよび磁気テープなどの磁気記憶媒体、ハードドライブ、または光学的可読デジタル・データ記憶媒体でもよい。実施形態は、さらに上記方法の前記ステップを行うようにプログラムされたコンピュータを対象に含むことを意図する。
【００７４】
図で示される様々な要素の機能は、「プロセッサ」または「論理」と呼ばれる任意の機能ブロックを含み、適切なソフトウェアと関連して、専用ハードウェア、ならびにソフトウェアを実行できるハードウェアの使用を通して提供され得る。プロセッサにより提供される場合、機能は、単一の専用プロセッサにより、単一の共有プロセッサにより、または複数の個別プロセッサ、その一部は共有されてもよいが、により提供され得る。さらに、用語「プロセッサ」または「コントローラ」または「論理」の明示的な使用は、ソフトウェアを実行できるハードウェアを排他的に意味すると解釈されるべきではなく、制限することなく、デジタル信号プロセッサ（ＤＳＰ）ハードウェア、ネットワーク・プロセッサ、特定用途向けＩＣ（ＡＳＩＣ）、フィールド・プログラマブル・ゲート・アレイ（ＦＰＧＡ）、ソフトウェアを格納するための読み出し専用メモリ（ＲＯＭ）、ランダム・アクセス・メモリ（ＲＡＭ）および不揮発性ストレージを暗黙に含んでもよい。他のハードウェア、従来品および／またはカスタム品が含まれてもよい。同様に、図で示されるどのスイッチも概念にすぎない。それらの機能は、プログラム論理の動作を通して、専用論理を通して、プログラム制御および専用論理の相互作用を通して、または、文脈からさらに詳細に理解されるように、特定の技法を実装者により選択可能にすることによりさらに手動で、実行され得る。
【００７５】
本明細書の、どのブロック図も、本発明の原理を具体化する、説明のための回路の概念図を表していることを、当業者により理解されたい。同様に、どのフローチャート、流れ図、状態遷移図、疑似コードなどは、コンピュータ可読媒体内で実質的に表され得、かつコンピュータまたはプロセッサにより、そのようなコンピュータまたはプロセッサが明示的に示されているか否かに関わらず、そのように実行され得る、様々なプロセスを表すことが理解されよう。
【００７６】
記述および図面は、単に本発明の原理を説明している。従って、本明細書で明示的に記述されずまたは示されていなくても、本発明の原理を具体化し、かつその精神および範囲内に含まれる、様々な構成を当業者が考案できることが理解されよう。さらに、本明細書で列挙された全ての例は、特に、本発明の原理および当技術分野を推進することに対し本発明者によりもたらされる概念を読者が理解するのを助ける教示的目的のためだけを主に意図し、このように具体的に列挙された例および条件に制限されることなく解釈されるべきである。さらに、本明細書で列挙されている、本発明の原理、概念および実施形態、ならびにその具体的な例は、その等価物を含むことを意図する。
【図１】
0006328265.tif 000002